(57)【要約】【課題】電話機に振動等が加えられたときのフックスイッチの誤動作を防止する。【解決手段】電話機本体の筺体１に載置されるハンドセット２の自重がフックボタン４に加わると、フックボタン４が下降して軸６がスポンジ１３を押し潰しながら長孔９の下端に移動した後、フックボタン４が回転することでスイッチレバー１１が回転してフックスイッチ１０がオンに切り替わり、ハンドセット２を筺体１から持ち上げるとスポンジ１３の復元力により軸６を介してフックボタン４が押上げられ、長孔９の上端に移動した後、フックボタン４が筺体１上に突出するように回転することでスイッチレバー１１が付勢手段により回転してフックスイッチ１０がオンに切り替わるようにした。【選択図】図１
2010233189.tif 000002
【特許請求の範囲】
【請求項１】
電話機のハンドセットを載置する筐体に設けた透孔から上部が筐体上に突出できるように配置されかつ下部に設けた軸を前記筺体内に設けられた軸受に斜めに形成された長孔に装着した回転可能なフックボタンと、前記筺体内に設けられたフックスイッチと、このフックスイッチの一側に回転可能に設けられ先端を前記フックボタンの下部に形成されたレバー当接部上に当接させたスイッチレバーと、このスイッチレバーがレバー当接部を押し下げて前記フックボタンの上部が前記透孔から上部が筐体上に突出するようにスイッチレバーを付勢する付勢手段と、前記フックボタンの軸の下側に配置された弾性体を備え、
前記筺体に載置されるハンドセットの自重が前記フックボタンに加わると、フックボタンが下降して前記軸が前記弾性体を変形させながら前記長孔の下端側に移動した後、前記フックボタンが回転することで前記スイッチレバーが回転して前記フックスイッチがオンに切り替わり、
前記ハンドセットを前記筺体から持ち上げると前記弾性体の復元力により前記軸を介して前記フックボタンが押上げられ、前記長孔の上端側に移動した後、前記フックボタンが回転することで前記スイッチレバーが前記付勢手段により回転して前記フックスイッチがオンに切り替わるようにしたことを特徴とする電話機のフックボタン構造。
【請求項２】
請求項１記載の電話機のフックボタン構造において、
前記弾性体として、前記軸を介して前記フックボタンが押上げる際、摩擦により前記軸の回転を抑えることができるスポンジを用いることを特徴とする電話機のフックボタン構造。
【請求項３】
請求項１記載の電話機のフックボタン構造において、
前記弾性体として、前記軸を介して前記フックボタンが押上げる際、摩擦により前記軸の回転を抑えることができるゴム製の板バネを用いることを特徴とする電話機のフックボタン構造。
【発明の詳細な説明】
【技術分野】
【０００１】
本発明は、オフィス用あるいは家庭用の電話機におけるフックボタン構造に関するものである。
【背景技術】
【０００２】
従来のこの種の電話機のフックボタン構造として、一端を中心に回転するフックボタンを電話機の筐体の凹部に設けられた穴から突出するように配置すると共に、前記筐体内に設けられたフックスイッチの回転可能なスイッチレバーの一端を前記フックボタンの背面（下面）側に配置したものがある。
【０００３】
このフックボタン構造は、ハンドセットを前記凹部に載置すると、このハンドセットの自重により前記フックボタンが前記筐体内に押下げられ、これにより前記スイッチレバーが押されて回転することで前記フックスイッチがオン状態になり、前記ハンドセットを持ち上げて前記凹部から取外すと、前記フックボタンが前記穴から突出すると共に前記レバーが元に戻るように回転して前記フックスイッチがオフ状態に切替わるものとなっている（例えば、特許文献１参照）。
【先行技術文献】
【特許文献】
【０００４】
【特許文献１】特開平７−８７１７０号公報
【発明の概要】
【発明が解決しようとする課題】
【０００５】
しかしながら、上述した従来の技術においては、フックスイッチのスイッチレバーの一端がフックボタンと接触あるいはわずかに押込んだ位置に配置されているため、電話機に加わる振動等によりフックボタンが回転すると、それに応じてフックスイッチのスイッチレバーも回転してしまい、それによってフックスイッチが誤動作するという問題がある。
【０００６】
本発明は、このような問題を解決することを課題とする。
【課題を解決するための手段】
【０００７】
そのため、本発明による電話機のフックボタン構造は、電話機のハンドセットを載置する筐体に設けた透孔から上部が筐体上に突出できるように配置されかつ下部に設けた軸を前記筺体内に設けられた軸受に斜めに形成された長孔に装着した回転可能なフックボタンと、前記筺体内に設けられたフックスイッチと、このフックスイッチの一側に回転可能に設けられ先端を前記フックボタンの下部に形成されたレバー当接部上に当接させたスイッチレバーと、このスイッチレバーがレバー当接部を押し下げて前記フックボタンの上部が前記透孔から上部が筐体上に突出するようにスイッチレバーを付勢する付勢手段と、前記フックボタンの軸の下側に配置された弾性体を備え、前記筺体に載置されるハンドセットの自重が前記フックボタンに加わると、フックボタンが下降して前記軸が前記弾性体を変形させながら前記長孔の下端側に移動した後、前記フックボタンが回転することで前記スイッチレバーが回転して前記フックスイッチがオンに切り替わり、前記ハンドセットを前記筺体から持ち上げると前記弾性体の復元力により前記軸を介して前記フックボタンが押上げられ、前記長孔の上端側に移動した後、前記フックボタンが回転することで前記スイッチレバーが前記付勢手段により回転して前記フックスイッチがオンに切り替わるようにしたことを特徴とする。
【発明の効果】
【０００８】
このようにした本発明は、スイッチレバーの回転動作によりフックスイッチがオンの状態からオフに、また逆にオフの状態からオンに切替わる際、フックボタンが回転動作する前に下降または上昇する動作を行うようにし、このフックボタンの上下動中はスイッチレバーが回転しないようにすることができる。つまりフックボタンが上下動の分スイッチレバーの不動作領域を意図的に作りだすことができるので、電話機に振動等が加わったとき、フックボタンは上下動するだけで回転動作は殆どしないため、スイッチレバーも回転することがなくなり、振動等によるフックスイッチの誤動作を防止できるという効果が得られる。
【図面の簡単な説明】
【０００９】
【図１】本発明の実施例を示す側断面図
【図２】本発明が適用される電話機の側面図
【図３】実施例の作用を示す側断面図
【図４】実施例の作用を示す側断面図
【図５】スイッチレバーの不動作領域を示す説明図
【発明を実施するための形態】
【００１０】
以下、図面を参照して本発明による電話機のフックボタン構造の実施例を説明する。
【実施例１】
【００１１】
図２において１は電話機本体の筐体、２はハンドセット（送受話器）で、通話しないときは筐体１上にハンドセット２を載置するものとなっている。
【００１２】
図１に示すように筐体１にはハンドセット２の受話部を載置する部分に透孔３が設けられ、この透孔３から上部が筐体１上に突出するようにフックボタン４が配置されている。
【００１３】
このフックボタン４の上部つまり筐体１上に突出する部分には所定角度に傾斜した斜面５が形成され、またフックボタン４の下部には図面の奥行き方向に延在する軸６と、この軸６と同様に図面の奥行き方向に向けてレバー当接部７がそれぞれ形成されている。
【００１４】
８は筐体１の上部内面から垂下するように設けられた軸受で、この軸受８の下部にはフックボタン４の軸６の直径よりやや大きい幅でかつ該幅より長い長さを有する略小判状の長孔９が斜めに形成されており、この長孔９にフックボタン４の軸６が装着されていて、これによりフックボタン４は軸６を中心に回転するように支持されている。
【００１５】
１０はフックスイッチで、一側にスイッチレバー１１を有し、このスイッチレバー１１の先端部はフックボタン４のレバー当接部７の上面に当接している。
【００１６】
また、スイッチレバー１１は軸１２を中心に回転するように設けられており、この軸１２はフックボタン４の軸６を挟んでスイッチレバー１１の先端部と反対側の位置に設けられていて、スイッチレバー１１の回転によりフックスイッチ１０がオン、オフするようになっている。
【００１７】
更に、スイッチレバー１１は、例えば軸１２に装着された図示しないトーションスプリング（付勢手段）によりフックボタン４のレバー当接部７を押し下げるように付勢されていて、これによりフックボタン４は軸６を中心に時計回り方向に回転し、上部が筐体の透孔３から突出するようになっている。
【００１８】
１３は筐体１の底部内面とフックボタン４の軸６との間に配置された弾性体で、本実施例ではシリコン系のスポンジが用いられている。
【００１９】
このスポンジ１３は軸受８の長孔９の上端側に位置する軸６に接する高さに設定されており、その弾性力（反発力）は軸６を介してフックボタン４を押上げることが可能であるがスイッチレバー１１を付勢する前記の図示しないトーションスプリングの付勢力よりは弱いものとなっている。
【００２０】
上述した構成の作用について説明する。図３（ａ）〜（ｃ）は筐体１上にハンドセット２を載置する場合、図４（ａ）〜（ｃ）は筐体１上からハンドセット２を取上げる場合の工程をそれぞれ示している。
【００２１】
まず、通話等のために筐体１上からハンドセット２が取上げられた状態では、図１及び図３（ａ）に示したように、図示しないトーションスプリングにより付勢されたフックスイッチ１０のスイッチレバー１１の先端部がフックボタン４のレバー当接部７を押し下げることで、フックボタン４の上部が透孔３から筐体１上に突出しており、また、フックボタン４の軸６はスポンジ１３の弾性力により軸受８の長孔９の上端側に押上げられている。
【００２２】
この状態から、図２に示したようにハンドセット２を筐体１上に載置すると、フックボタン４の斜面５の上端部付近にハンドセット２の自重が加えられるが、スイッチレバー１１を付勢しているトーションスプリングの付勢力がスポンジ１３の弾性力よりも強いので、図３（ｂ）に示したように、フックボタン４の軸６はスポンジ１３を押潰しながらつまり変形させながらスイッチレバー１１の先端部とレバー当接部７の接触部を支点として弧を描くように軸受８の長孔９の下端側に移動して行き、これによりフックボタン４は殆ど回転することなくハンドセット２の自重によって斜め方向に押下げられる。このようにフックボタン４は殆ど回転することなくハンドセット２の自重によって斜め方向に押下げられるので、フックスイッチ１０のスイッチレバー１１の先端部はレバー当接部７から力を受けず、回転しない状態を保つことが可能となる。
【００２３】
そして軸６が長孔９の下端に達すると、図３（ｃ）に示したように、フックボタン４は斜面５がほぼ水平の状態になるまで、軸６を中心に反時計方向に回転し、このフックボタン４の回転に伴ってレバー当接部７がフックスイッチ１０のスイッチレバー１１の先端部を押し上げるので、スイッチレバー１１はトーションスプリングの付勢力に抗して軸１２を中心に反時計方向に回転してフックスイッチ１０がオフの状態からオンに切替わり、電話機は通話が不可能な状態になる。
【００２４】
次に、通話等のために筐体１上からハンドセット２を持ち上げて行くと、スポンジ１３が自身の弾性力により復元して行き、フックボタン４の軸６を押上げる。これによりフックボタン４の軸６はスイッチレバー１１の先端部とレバー当接部７の接触部を支点として弧を描くように軸受８の長孔９の上端側に移動して行き、それに伴ってフックボタン４は、図４（ａ）に示した状態から図４（ｂ）に示したように斜めに押上げられて行くが、このとき軸６はスポンジ１３に押付けられた状態にあるため摩擦により回転しにくい状態となっており、フックボタン４は回転より先にスポンジ１３の復元力により押上げられることになる。
【００２５】
この時点ではまだスイッチレバー１１は回転せず、そのため更にそのままハンドセット２を持ち上げて行くと、フックボタン４の軸６は長孔９の上端に到達し、すると図示しないトーションスプリングにより付勢されたフックスイッチ１０のスイッチレバー１１が軸１２を中心に時計方向に回転する。これによりスイッチレバー１１の先端部がフックボタン４のレバー当接部７を押し下げるので、軸６を中心に時計方向に回転して図４（ｃ）に示したように上部が透孔を通り抜けて筺体１上に突出すると共に、スイッチレバー１１の回転によって、フックスイッチ１０がオンの状態からオフに切替わり、電話機は通話が可能な状態になる。
【００２６】
本実施例ではこのようにフックボタン４が動作することでフックスイッチ１０がオフからオン、オンからオフに切替わるが、このフックスイッチ１０のスイッチレバー１１には、その先端部の移動領域中に、フックスイッチ１０の状態が切替わらない不動作領域を設定することが望ましいものとされている。
【００２７】
図５においてＮ１はフックスイッチ１０のオフからオンに切替わる側の不動作領域、Ｎ２はオンからオフに切替わる側の不動作領域を示している。
【００２８】
この不動作領域Ｎ１、Ｎ２はスイッチレバー１１の先端部が実線の位置からそれぞれ破線の位置に移動するまでの領域であり、例えばフックボタン４が図１及び図３（ａ）の状態にあってフックスイッチ１０がオフの状態（電話機が通話可能な状態）のとき、スイッチレバー１１の先端部が実線の位置から不動作領域Ｎ１の範囲内で移動してもフックスイッチ１０がオンに切替わらず、またフックボタン４が図４（ａ）の状態にあってフックスイッチ１０がオンの状態（電話機が通話不可能な状態）のとき、スイッチレバー１１の先端部が実線の位置から不動作領域Ｎ２の範囲内で移動してもフックスイッチ１０がオンに切替わらないように設定されたもので、こうすることにより電話機に振動が加わることでフックボタン４が少々回転するぐらいではフックスイッチ１０が誤動作しないようにすることができる。
【００２９】
このような不動作領域Ｎ１、Ｎ２は、フックボタン４の軸６の位置に大きく係っており、フックボタン４の動作においても不動作領域Ｎ１、Ｎ２を有効にするためには、フックボタン４の上部の回転動作範囲がスイッチレバー１１の先端部の回転範囲よりも大きくなるように軸６の位置を設定する必要がある。
【００３０】
通常、フックボタン４の力点から軸６までの距離をＲｐ、軸６からフックスイッチ１０のレバー当接部７とスイッチレバー１１の先端部の接触部までの距離をＲｎとしたとき、距離Ｒｐが距離Ｒｎより大きくなる（Ｒｐ＞Ｒｎ）関係が望ましく、理想的には距離Ｒｐが距離Ｒｎの２倍程度になるようにすると、スイッチレバー１１の不動作領域のマージンも２倍となるので、例えばスイッチレバー１１の不動作領域Ｎ１、Ｎ２がそれぞれ２ｍｍのフックスイッチ１０を使用した場合、フックボタン４の上部が４ｍｍ程度回転動作してもフックスイッチ１０の状態は切替わらず、誤動作しにくいものとなるが、実際には、電話機全体の小型化の要求に対してフックボタン４やフックスイッチ１０の大きさ、筺体１内の実装スペースが制限されるため、距離Ｒｐを距離Ｒｎよりも充分大きくとることは難しいのが現状である。
【００３１】
そのため、本実施例のフックボタン構造は、上述したようにフックボタン４の軸６を軸受８に設けた斜めの長孔９に通すことで、軸６が長孔９に沿って移動するようにし、これによりフックボタン４が上下動するように構成すると共に、軸６の下側にスポンジ１３を配して、軸６を押上げる際に摩擦力が生じるようにしており、これによりスイッチレバー１１の回転動作によりフックスイッチ１０がオンの状態からオフに、また逆にオフの状態からオンに切替わる際、フックボタン４が回転動作する前に下降または上昇する動作を行うようにし、このフックボタン４の上下動中はスイッチレバー１１が回転しないようにすることができる。つまりフックボタン４が上下動の分スイッチレバー１１の不動作領域を意図的に作りだすことができる。
【００３２】
従って、本実施例によれば、電話機に振動等が加わったとき、フックボタン４は上下動するだけで回転動作は殆どしないため、スイッチレバー１１も回転することがなくなり、振動等によるフックスイッチ１０の誤動作を防止できるという効果が得られる。
【００３３】
また、上記のようにフックボタン４が上下動の分スイッチレバー１１の不動作領域を意図的に作りだすことができる、設計の自由度が高くなり、小型でフックスイッチ１０の誤動作のない安定した電話機を実現することが可能となる。
【００３４】
尚、上述した本実施例は、ストロークが小さく不動作領域が非常に小さい小型のフックスイッチや、調整次第で不動作領域が殆どないドームスイッチ等にも適用可能である。
【００３５】
また、上述した実施例ではスポンジ１３を利用するものとしたが、フックボタン４の軸６を押上げる際に、軸６の回転を摩擦力により抑えることができるゴム製の板バネをスポンジの代わりに用いることも可能である。
【００３６】
また、上述した実施例では、スイッチレバー１１の付勢手段としてトーションスプリングを用いるものとしたが、コイルスプリング等をスイッチレバー１１の付勢手段とすることも可能である。
【符号の説明】
【００３７】
１    筺体
２    ハンドセット
３    透孔
４    フックボタン
５    斜面
６    軸
７    レバー当接部
８    軸受
９    長孔
１０  フックスイッチ
１１  スイッチレバー
１２  軸
１３  スポンジ
【図１】
2010233189.tif 000003
【図２】
2010233189.tif 000004
【図３】
2010233189.tif 000005
【図４】
2010233189.tif 000006
【図５】
2010233189.tif 000007